【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
液体フィルタアセンブリであって、
（ａ）ハウジング内部空間を規定する、好ましくは周囲を取り囲む壁と、入口と出口とを含むハウジング構造を備え、
（ｂ）前記ハウジング内部空間に設けられ、内部容積を有する好ましくは多孔質の管状支持部材を備え、
（ｃ）前記支持部材の前記内部容積の中にフィルタ要素を備え、前記フィルタ要素は、媒体内部空間を規定する好ましくは管状の媒体パックを含み、好ましくは、前記媒体パックには閉じた端部キャップ及び開放した端部キャップが固定され、
（ｉ）前記フィルタ要素は、前記ハウジング入口から前記媒体内部空間の中まで未濾過液体を受け入れ、前記媒体パックを通し、更に前記支持部材を通して前記支持部材の前記内部容積の外側の濾過済み液体容積まで前記未濾過液体を流し、その後、前記ハウジング出口を通して前記未濾過液体を流すように、前記ハウジング構造に対して配置され、
（ｄ）少なくとも一部の未濾過液体に前記媒体パックを迂回させ、前記一部の未濾過液体を前記濾過済み液体容積の中に流入させるためのバイパス弁構造を備え、前記バイパス弁構造は、弁頭及び弁座を含み、
（ｉ）好ましくは、前記弁頭が前記弁座との密封係合を解除するように動かされた場合に、バイパス開口部は、未濾過液体を前記濾過済み液体容積の中へ流入させ、
（ｉｉ）好ましくは、前記弁頭が前記弁座と密封係合している場合に、前記バイパス開口部は閉鎖されて、未濾過液体が前記媒体パックを迂回するのを阻止し、
（ｅ）前記弁頭が前記弁座と密封係合および密封係合を解除するように動かされる場合に、係合しているダイナミックシールを備えることを特徴とする液体フィルタアセンブリ。
【請求項２】
（ａ）ハウジング内部空間を規定する周囲壁、入口及び出口を含むハウジング構造を備え、
（ｂ）前記ハウジング内部空間の中で動作可能に配向された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、前記フィルタ要素はシール部材を含み、
（ｉ）前記フィルタ要素は、前記ハウジング入口から前記媒体内部空間の中まで未濾過液体を受け入れ、前記媒体パックを通し、更に前記支持部材を通して前記支持部材の前記内部容積の外側の濾過済み液体容積まで前記未濾過液体を流し、その後、前記ハウジング出口を通して前記未濾過液体を流すように、前記ハウジング構造に対して配置され、
（ｄ）少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、前記バイパス弁構造は、
（ｉ）前記支持部材に装着された付勢部材座を含み、
（ｉｉ）前記付勢部材座により動作可能に保持された付勢部材を含み、
（ｉｉｉ）前記付勢部材座の中に設けられ、前記付勢部材と係合する弁頭を含み、
（Ａ）前記弁頭は密封面を有し、前記フィルタ要素のシール部材は前記密封面に当接して密封され、
（ｉｖ）前記ハウジング構造に固定された弁座とを含み、
前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合していることを特徴とする請求項１に記載の液体フィルタアセンブリ。
【請求項３】
（ａ）ハウジング内部空間を規定する周囲壁、入口及び出口を含むハウジング構造を備え、
（ｂ）前記ハウジング内部空間の中で動作可能に配向された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、
（ｉ）前記フィルタ要素は、前記支持部材に当接してシールを形成するシール部材を含み、
（ｉｉ）前記フィルタ要素は、前記ハウジング入口から前記媒体内部空間の中まで未濾過液体を受け入れ、前記媒体パックを通し、更に前記支持部材を通して前記支持部材の前記内部容積の外側の濾過済み液体容積まで前記未濾過液体を流し、その後、前記ハウジング出口を通して前記未濾過液体を流すように、前記ハウジング構造に対して配置され、
（ｄ）少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、前記バイパス弁構造は、
（ｉ）前記ハウジング構造に装着された付勢部材座と、
（ｉｉ）前記付勢部材座により動作可能に保持された付勢部材と、
（ｉｉｉ）前記付勢部材座の中にあり、前記付勢部材と係合する弁頭と、
（ｉｖ）前記支持部材に固定された弁座とを含み、前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合していることを特徴とする請求項１に記載の液体フィルタアセンブリ。
【請求項４】
（ａ）入口を含むヘッド構造を備え、
（ｂ）前記ヘッド構造により直接又は間接的に支持された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、前記フィルタ要素はシール部材を含み、
（ｉ）前記フィルタ要素は、前記ヘッド構造の前記入口から前記媒体内部空間の中まで未濾過液体を受け入れ、次に前記媒体パックを通し、更に前記支持部材を通して前記支持部材の前記内部容積の外側の濾過済み液体容積まで前記未濾過液体を流すように、前記ヘッド構造に対して配置され、
（ｄ）前記媒体内部空間の中の圧力が所定の閾値を超えるのに応答して、少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、前記バイパス弁構造は、
（ｉ）前記入口と前記フィルタ要素との間に配設された付勢部材座と、
（ｉｉ）前記付勢部材座により直接又は間接的に支持された付勢部材と、
（ｉｉｉ）前記付勢部材と係合する弁頭と、
（Ａ）前記弁頭は密封面を有し、前記フィルタ要素のシール部材は前記密封面に当接して密封され、
（ｉｖ）前記ヘッド構造に固定された弁座とを含み、
前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合していることを特徴とする請求項１に記載の液体フィルタアセンブリ。
【請求項５】
（ａ）入口を含むヘッド構造を備え、
（ｂ）前記ヘッド構造により直接又は間接的に支持された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、
（ｉ）前記フィルタ要素は、前記支持部材に当接してシールを形成するシール部材を含み、
（ｉｉ）前記フィルタ要素は、前記ヘッド入口から前記媒体内部空間の中まで未濾過液体を受け入れ、次に、前記媒体パックを通し、更に前記支持部材を通して前記支持部材の前記内部容積の外側の濾過済み液体容積まで前記未濾過液体を流すように、前記ヘッド構造に対して配置され、
（ｄ）前記媒体内部空間の中の圧力が所定の閾値を超えるのに応答して、少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、前記バイパス弁構造は、
（ｉ）前記入口と前記フィルタ要素との間に配設された付勢部材座と、
（ｉｉ）前記付勢部材座により直接又は間接的に支持された付勢部材と、
（ｉｉｉ）前記付勢部材と係合する弁頭と、
（ｉｖ）前記支持部材に固定された弁座とを含み、
前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過流体が前記媒体パックを迂回するのを阻止するように、前記弁頭と離脱可能に密封係合していることを特徴とする特に請求項１に記載の液体フィルタアセンブリ。
【手続補正２】
【補正対象書類名】明細書
【補正対象項目名】発明の名称
【補正方法】変更
【補正の内容】
【発明の名称】液体フィルタアセンブリ